(57)【要約】【課題】開断面構造による軽量化を維持するものであるにも拘らず、高剛性化のためのコストアップあるいは重量アップを起さないようにした。【解決手段】センターピラー本体３を構成するピラーアウター４及びピラーインナー５を共に断面ハット型に形成すると共に、ピラーアウター４に凹設したピラー嵌合凹部４−１にピラーインナー５に突設したピラー嵌合凸部５−１を挿入し、ピラー嵌合凹部４−１およびピラー嵌合凸部５−１の両側端部より張出し形成されたオープニングフランジ部４−２、５−２同士を接合することによって、開断面構造のセンターピラー本体３を構成し、且つ、センターピラー本体３の開口側３ａに橋渡すように、センターピラー本体３に取付け部品を取付けるための取付けブラケット６，７，８を装着することによって、センターピラー本体３に閉断面構造部１０を形成した。【選択図】図２
2007331571.tif 000002
【特許請求の範囲】
【請求項１】
ピラーアウター及びピラーインナーを共に断面ハット型に形成すると共に、前記ピラーアウターに凹設したピラー嵌合凹部に前記ピラーインナーに突設したピラー嵌合凸部を挿入し、前記ピラー嵌合凹部および前記ピラー嵌合凸部の両側端部より張出し形成されたオープニングフランジ部同士を接合することによって、開断面構造のセンターピラー本体を構成し、且つ、センターピラー本体の開口側に橋渡すように、該センターピラー本体に取付け部品を取付けるための取付けブラケットを装着することによって、前記センターピラー本体に閉断面構造部を形成したことを特徴とする自動車用センターピラー構造。
【請求項２】
前記取付けブラケットを、前記ピラー嵌合凹部および前記ピラー嵌合凸部の両側端部より張出し形成された前記オープニングフランジ部に接合したことを特徴とする請求項１記載の自動車用センターピラー構造。
【請求項３】
前記取付けブラケットの上端部又は下端部に折曲部を形成したことを特徴とする請求項１又は２記載の自動車用センターピラー構造。
【請求項４】
前記取付けブラケットにおける上下両端部に対して、前記取付け部品の取付け部を膨出形成したことを特徴とする請求項１ないし３のいずれか一に記載の自動車用センターピラー構造。
【発明の詳細な説明】
【技術分野】
【０００１】
本発明は、補強構造を有する自動車用センターピラー構造に関する。
【背景技術】
【０００２】
従来広く使用されている自動車のセンターピラー構造は、断面ハット形状に形成されて両側にオープニングフランジ部を有したピラーアウター及びピラーインナーのオープニングフランジ部相互を接合して閉断面構造に構成したものが知られている（特許文献１参照）。
【特許文献１】特開２０００−３１４８４５号公報。
【０００３】
上記のセンターピラー構造は、断面ハット型のアウター部材と逆向きの浅い断面ハット型のインナー部材とを、これらオープニングフランジ同士を接合することにより、閉断面構造のセンターピラー本体を構成すると共に、アウター部材及びインナー部材が形成する内部空間内に断面波形形状に形成したレインフォース部材を配置する補強構造に構成している。
【０００４】
しかしながら、上記従来のセンターピラー構造は、アウター部材及びインナー部材の他に、上下方向に相当長い補強部材を使用して構成していることから、高重量構成であるといえ、近来の自動車の軽量化要求に対して、逆行しているものであるといえる。
【０００５】
そこで、上記の点に鑑み、最近において、図６及び図７に示すセンターピラー構造が実車に採用されるようになっている。
【０００６】
図６及び図７によれば、自動車車体のほぼ中央部において、ルーフサイドレールａとサイドシルｂとの間を連結補強するセンターピラー本体ｃは、共に断面ハット型のピラーアウターｄ及びピラーインナーｅにより構成されており、ピラーアウターｄに凹設したピラー嵌合凹部ｄ−１にピラーインナーｅに突設したピラー嵌合凸部ｅ―１を嵌合し、ピラー嵌合凹部ｄ−１およびピラー嵌合凸部ｅ―１の両側端部より張出し形成されたオープニングフランジｄ−２、ｅ―２部同士を接合することによって、開断面構造に構成している。
【０００７】
そして、図６及び図７に示す従来のセンターピラー構造は、ピラーインナーｅにピラー嵌合凸部ｅ−１を形成し、ピラーアウターｄ側のピラー嵌合凹部ｄ−１に嵌合し、ピラーインナーｅのピラー嵌合凸部ｅ―１によって、レインフォース部材をも兼用させ、軽量化を図った点特徴とするものであり、ピラー嵌合凸部ｅ−１内に、シートベルト取付けブラケットｆ、トリム取付けブラケットｇ或いはリトラクタ取付けブラケットｈを装着するようにしている。
【発明の開示】
【発明が解決しようとする課題】
【０００８】
しかしながら、図６及び図７に示す従来の技術においては、ピラーインナーｅにピラー嵌合凸部ｅ−１を形成したことにより、センターピラー本体ｃは、ピラー嵌合凸部ｅ―１がピラー嵌合凹部d−１内に入り込むことによって、強度高剛性を出そうとしたものであるが、開断面構造であるがために、図７の矢印で示すように、開断面構造を拡開するような力が加わった場合には、断面開きが起きてしまうことになり、本来の断面が持つ剛性を発揮することができないことになる。
【０００９】
このような課題の対策として、ピラーアウターｄ或いはピラーインナーｅにおける板厚アップ対策あるいは強度の高い材料を使用する対策、更には廃止したレインフォースを再び追加する対策等が考えられるが、いずれも、センターピラー構造のコストアップや重量アップにつながってしまい、好ましくない。
【００１０】
そこで、本発明は、かかる点に鑑み、開断面構造による軽量化を維持するものであるにも拘らず、高剛性化のためのコストアップあるいは重量アップを起さないようにした自動車用センターピラー構造を提供することを目的としている。
【課題を解決するための手段】
【００１１】
上記目的を達成するために、本発明の自動車用センターピラー構造は、ピラーアウター及びピラーインナーを共に断面ハット型に形成すると共に、前記ピラーアウターに凹設したピラー嵌合凹部に前記ピラーインナーに突設したピラー嵌合凸部を挿入し、前記ピラー嵌合凹部および前記ピラー嵌合凸部の両側端部より張出し形成されたオープニングフランジ部同士を接合することによって、開断面構造のセンターピラー本体を構成し、且つ、センターピラー本体の開口側に橋渡すように、該センターピラー本体に取付け部品を取付けるための取付けブラケットを装着することによって、前記センターピラー本体に閉断面構造部を形成したことを特徴とするものである。
【００１２】
かかる構成により、ピラーアウター及びピラーインナーを共に断面ハット型に形成して、これにより形成されたピラーアウター側のピラー嵌合凹部内にピラーインナー側のピラー嵌合凸部を嵌合し、両オープニングフランジ部同士を接合することによって、開断面構造にしたために、センターピラー本体の軽量化を果たすとともに、本来必ず使用する取付け部品の取付けブラケットを、センターピラー本体の開口側に橋渡すようにセンターピラー本体に装着したために、高剛性を果たすことができると共に、コストアップや高重量化の抑制を同時に達成することができる。
【００１３】
また、本発明は、前記取付けブラケットを、前記ピラー嵌合凹部および前記ピラー嵌合凸部の両側端部より張出し形成された前記オープニングフランジ部に接合するように構成してもよい。
【００１４】
かかる構成により、取付けブラケットを両オープニングフランジ部に接合することによって、取付けブラケットが形成する閉断面構造部の剛性をより高めることができる。
【００１５】
また、本発明は、前記取付けブラケットの上端部又は下端部に折曲部を形成するようにしてもよい。
【００１６】
かかる構成により、折曲部により取付けブラケットの剛性を高め、延いては取付けブラケットが形成する閉断面構造部の剛性を高めることができる。
【００１７】
また、本発明は、前記取付けブラケットにおける上下両端部に対して、前記取付け部品の取付け部を膨出形成するようにしてもよい。
【００１８】
かかる構成により、取り付けブラケットにおける取付け部品の取付け部を膨出形成した結果、取付けブラケットの剛性を高め、延いては取付けブラケットが形成する閉断面構造部の剛性を高めることができる。
【発明の効果】
【００１９】
上記のように構成する本発明は、ピラーアウター及びピラーインナーを共に断面ハット型に形成して、これにより形成されたピラーアウター側のピラー嵌合凹部内にピラーインナー側のピラー嵌合凸部を嵌合し、両オープニングフランジ部同士を接合することによって、開断面構造にしたために、センターピラー本体の軽量化を果たすとともに、本来必ず使用する取付け部品の取付けブラケットを、センターピラー本体の開口側に橋渡すようにセンターピラー本体に装着したために、高剛性を果たすことができると共に、コストアップや高重量化の抑制を同時に達成することができる。
【発明を実施するための最良の形態】
【００２０】
以下、図を用いて、本発明を実施するための最良の実施の形態について、説明する。
【００２１】
図１は本発明におけるセンターピラー構造を採用した自動車の中央側部の骨格を車室側から描画した斜視図、図２は図１のＡ−Ａ断面図である。
【００２２】
図１において、ルーフサイドレール１とサイドシル２との間を連結補強するセンターピラー本体３は、共に断面ハット型のピラーアウター４及びピラーインナー５により構成されており、ピラーアウター４に凹設したピラー嵌合凹部４−１にピラーインナー５に突設したピラー嵌合凸部５―１を挿入し、ピラー嵌合凹部４−１およびピラー嵌合凸部５―１の両側端部より張出し形成されたオープニングフランジ部４−２、５―２同士を接合することによって、開断面構造に構成している。
【００２３】
そして、図２に示すように、ピラーインナー５側のピラー嵌合凸部５−１がピラーアウター側のピラー嵌合凹部４−１内に入り込むことによって、ピラーインナー５のピラー嵌合凸部５−１がレインフォース部材としても構成している。
【００２４】
さらに、ピラー嵌合凸部５−１とオープンフランジ部５−２との間には、車室内側に突出形成した一対の突起部５−３が配設されている。
【００２５】
突起部５−３は、図示しないが、両オープニングフランジ４−２、５−２にウエルト等を挟合した場合の倒れ防止機能を果たすものである。
【００２６】
センターピラー本体３には、図示しないが、例えば、センターピラー本体３への取付け部品であるシートベルト、トリム或いはリトラクタ等の取付け部品を取付けるために、取付けブラケットであるシートベルトブラケット６、トリム取付けブラケット７或いはリトラクタ取付けブラケット８が配設されている。
【００２７】
そして、シートベルトブラケット６、トリム取付けブラケット７或いはリトラクタ取付けブラケット８は、略平板形状を呈して、ピラーインナー５の両突起部５−３に接合されている。
【００２８】
この結果、シートベルトブラケット６、トリム取付けブラケット７或いはリトラクタ取付けブラケット８は、それぞれセンターピラー本体３の開口側３ａに橋渡されることになり、センターピラー本体３におけるシートベルトブラケット６、トリム取付けブラケット７或いはリトラクタ取付けブラケット８に対応する部分に閉断面構造部１０を形成している。
【００２９】
かかる構成により、本発明の第１の実施の形態においては、ピラーアウター４及びピラーインナー５を共に断面ハット型に形成して、これにより形成されたピラーアウター４側のピラー嵌合凹部４−１内にピラーインナー５側のピラー嵌合凸部５−１を嵌合し、両オープニングフランジ部４−２、５−２同士を接合することによって、開断面構造にしたために、センターピラー本体３の軽量化を果たすとともに、本来必ず使用する取付け部品を取り付けるためのトリム取付けブラケット７（図示しないが、シートベルト取付けブラケット６或いはリトラクタ取付けブラケット８も同様である）を、センターピラー本体３の開口側３ａに橋渡すようにセンターピラー本体３に装着したために、高剛性を果たすことができると共に、コストアップや高重量化の抑制を同時に達成することができる。
【００３０】
次に、本発明に係る他の実施の形態について、図３乃至図５を用いて説明する。
【００３１】
図３に示す本発明の第２の実施の形態によれば、トリム取付けブラケット７（図示しないが、シートベルト取付けブラケット６或いはリトラクタ取付けブラケット８も同様である）は、上記第１の実施の形態と同様に、略平板形状を呈するも、突起部５−３に適合した形状をなした後に両側部が取付けフランジ部９に形成されている。
【００３２】
取付けフランジ部９は、オープニングフランジ４−２および５−２と共に接合されて、シートベルトブラケット６、トリム取付けブラケット７或いはリトラクタ取付けブラケット８をそれぞれ、センターピラー本体３の開口側３ａに橋渡すことによって、シートベルトブラケット６、トリム取付けブラケット７或いはリトラクタ取付けブラケット８に対応する部分に閉断面構造部１０を形成している。
【００３３】
かかる構成により、トリム取付けブラケット７側の取付けフランジ部９をオープニングフランジ４−２および５−２と共に接合することにより、センターピラー本体３の剛性をより高めることができる。
【００３４】
また、図４に示す本発明の第３の実施の形態においては、トリム取付けブラケット７(図示しないが、シートベルト取付けブラケット６或いはリトラクタ取付けブラケット８も同様である)における上下両端部を折曲して、折曲部７ａを形成したものであり、図５に示す第４の実施の形態においては、トリム取付けブラケット７(図示しないが、シートベルト取付けブラケット６或いはリトラクタ取付けブラケット８も同様である)におけるトリム取付け部７ｂをその上下両端部に対して車室側に膨出形成したもので、トリム取付けブラケット７の剛性を高めることによって、トリム取付けブラケット７が形成する閉断面構造部１０の剛性が更に高めることができる。
【産業上の利用可能性】
【００３５】
以上説明したように、本発明は、ピラーアウター及びピラーインナーを共に断面ハット型に形成して、これにより形成されたピラーアウター側の嵌合凹部内にピラーインナー側の嵌合凸部を嵌合し、両オープニングフランジ部同士を接合することによって、開断面構造にしたために、センターピラー本体の軽量化を果たすとともに、本来必ず使用する取付け部品の取付けブラケットを、センターピラー本体の開口側に橋渡すようにセンターピラー本体に装着したために、高剛性を果たすことができると共に、コストアップや高重量化の抑制を同時に達成することができるために、補強構造を有する自動車用センターピラー構造等に好適である。
【図面の簡単な説明】
【００３６】
【図１】図１は本発明における第１の実施の形態におけるセンターピラー構造を採用した自動車の中央側部の骨格を車室側から描画した斜視図である。
【図２】図１のＡ−Ａ断面図である。
【図３】本発明に係る第２の実施の形態における図２と同様の断面図である。
【図４】本発明に係る第３の実施の形態における要部斜視図である。
【図５】本発明に係る第４の実施の形態における要部斜視図である。
【図６】従来の技術におけるセンターピラーを採用した自動車の中央側部の骨格を車室側から描画した斜視図である。
【図７】図６のＢ−Ｂ断面図である。
【符号の説明】
【００３７】
３    センターピラー本体
４    ピラーアウター
４−１  ピラー嵌合凹部
４−２  オープニングフランジ
５    ピラーインナー
５−１  ピラー嵌合凸部
５−２  オープニングフランジ
６    シートベルト取付けブラケット(取付け部品の取付けブラケット)
７    トリム取付けブラケット(取付け部品の取付けブラケット)
８    リトラクタ取付けブラケット(取付け部品の取付けブラケット)
１０    閉断面構造部
【図１】
2007331571.tif 000003
【図２】
2007331571.tif 000004
【図３】
2007331571.tif 000005
【図４】
2007331571.tif 000006
【図５】
2007331571.tif 000007
【図６】
2007331571.tif 000008
【図７】
2007331571.tif 000009